(57)【要約】【課題】複数の安価なリレーを並列に接続してなるリレーにおける消費電力が従来よりも少ない蓄電システムを提供する。【解決手段】蓄電システム１Ａは、蓄電池２と電力変換部３の間に設けられた、複数の第１リレーを並列接続してなる蓄電池側リレー群Ｓ３と、系統１０と電力変換部３の間に設けられた、複数の第２リレーを並列接続してなる系統側リレー群Ｓ１，Ｓ２と、電流Ｉｃを検知する蓄電池側電流検知部４と、電流Ｉｇを検知する系統側電流検知部６と、第１リレーおよび第２リレーの開閉を制御する制御部８Ａとを備える。制御部８Ａは、（１）定電流充電の際に、第１リレーおよび第２リレーの全部を閉状態とするよう構成され、かつ、（２）定電圧充電の際に、電流Ｉｃの減り具合に応じて閉状態とする第１リレーの数を減らしていくとともに、電流Ｉｇの減り具合に応じて閉状態とする第２リレーの数を減らしていくよう構成されている。【選択図】図１
2020096423.tif 000002
【特許請求の範囲】
【請求項１】
蓄電池と該蓄電池を系統から供給される交流電力を利用して定電流定電圧方式により充電する電力変換部とを備えた蓄電システムであって、
前記蓄電池および前記電力変換部の間に設けられた、複数の第１リレーを並列接続してなる蓄電池側リレー群と、
前記系統および前記電力変換部の間に設けられた、複数の第２リレーを並列接続してなる系統側リレー群と、
前記充電の際に前記蓄電池に出力される電流を検知する蓄電池側電流検知部と、
前記充電の際に前記系統から入力される電流を検知する系統側電流検知部と、
前記蓄電池側電流検知部および前記系統側電流検知部の検知結果に基づいて、前記第１リレーおよび前記第２リレーの開閉を制御する制御部と、
を備え、
前記制御部は、（１）定電流充電の際に、前記第１リレーおよび前記第２リレーの全部を閉状態とするよう構成され、かつ、（２）定電圧充電の際に、前記蓄電池に出力される電流の減り具合に応じて閉状態とする前記第１リレーの数を減らしていくとともに、前記系統から入力される電流の減り具合に応じて閉状態とする前記第２リレーの数を減らしていくよう構成されている
ことを特徴とする蓄電システム。
【請求項２】
前記第１リレーの数がＮ個（ただし、Ｎは２以上の整数）であり、
前記第２リレーの数がＭ個（ただし、Ｍは２以上の整数）であり、
前記制御部は、前記蓄電池に出力される電流と比較されるべきＮ−１個の閾値と、前記系統から入力される電流と比較されるべきＭ−１個の閾値とを記憶している
ことを特徴とする請求項１に記載の蓄電システム。
【請求項３】
蓄電池と該蓄電池を系統から供給される交流電力を利用して定電流定電圧方式により充電する電力変換部とを備えた蓄電システムであって、
前記蓄電池および前記電力変換部の間に設けられた、複数のリレーを並列接続してなるリレー群と、
前記充電の際に前記蓄電池に出力される電流を検知する電流検知部と、
前記電流検知部の検知結果に基づいて前記リレーの開閉を制御する制御部と、
を備え、
前記制御部は、（１）定電流充電の際に、前記リレーの全部を閉状態とするよう構成され、かつ、（２）定電圧充電の際に、前記蓄電池に出力される電流の減り具合に応じて閉状態とする前記リレーの数を減らしていくよう構成されている
ことを特徴とする蓄電システム。
【請求項４】
蓄電池と該蓄電池を系統から供給される交流電力を利用して定電流定電圧方式により充電する電力変換部とを備えた蓄電システムであって、
前記系統および前記電力変換部の間に設けられた、複数のリレーを並列接続してなるリレー群と、
前記充電の際に前記系統から入力される電流を検知する電流検知部と、
前記電流検知部の検知結果に基づいて前記リレーの開閉を制御する制御部と、
を備え、
前記制御部は、（１）定電流充電の際に、前記リレーの全部を閉状態とするよう構成され、かつ、（２）定電圧充電の際に、前記系統から入力される電流の減り具合に応じて閉状態とする前記リレーの数を減らしていくよう構成されている
ことを特徴とする蓄電システム。
【発明の詳細な説明】
【技術分野】
【０００１】
本発明は、蓄電池と該蓄電池を系統から供給される交流電力を利用して定電流定電圧方式により充電する電力変換部とを備えた蓄電システムに関する。
【背景技術】
【０００２】
停電時の重要負荷（例えば、冷蔵庫）への電力供給のために、一般家庭に蓄電システムを設置するケースが増えてきている。図５に示すように、蓄電システム１００は、蓄電池１０１と、双方向の電力変換が可能な電力変換部１０２と、開状態または閉状態をとるリレーＳ１０〜Ｓ１６とを備えている。リレーＳ１０〜Ｓ１６のそれぞれは、可動接点、固定接点およびコイルを有し、コイルに所定の電流が流れると、コイル側に引き寄せられた可動接点が固定接点に接触し、開状態から閉状態となる。
【０００３】
停電ではない通常時において、蓄電システム１００は、主に、（１）閉状態とされたリレーＳ１２，Ｓ１３を介して系統１０の交流電力を重要負荷１１にそのまま供給する、（２）閉状態とされたリレーＳ１０，Ｓ１１，Ｓ１６を介して系統１０の交流電力で蓄電池１０１を充電する、（３）閉状態とされたリレーＳ１０〜Ｓ１３，Ｓ１６を介して蓄電池１０１の貯蔵電力を系統１０に接続された負荷、および重要負荷１１に供給する、といったいずれかの動作を行う。蓄電システム１００は、電気料金が安い時間帯に系統１０の交流電力で蓄電池１０１を充電し、電気料金が高い時間帯に蓄電池１０１の貯蔵電力を系統１０に接続された負荷、および重要負荷１１に供給する。また、蓄電システム１００は、動作（１）〜（３）のうちの幾つかを同時に行うこともある。
【０００４】
一方、停電時において、蓄電システム１００は、重要負荷１１への電力供給が途切れるのを防ぐために、（４）閉状態とされたリレーＳ１４〜Ｓ１６を介して蓄電池１０１の貯蔵電力を重要負荷１１に供給する、といった動作を行う。
【０００５】
ところで、リレーＳ１０〜Ｓ１６は、そこを流れる電流に耐えられる程度の耐電流性を有していることが必要であるところ、耐電流性に優れたリレーは高価なので、そのようなリレーを多用すると蓄電システム１００全体の製造コストが高くなってしまう。このため、従来から、大電流が流れる各種電気機器において、一般的な耐電流性を有する安価な複数のリレーを並列接続したものを優れた耐電流性を有するリレーの代わりに使用することが行われている（例えば、特許文献１参照）。
【先行技術文献】
【特許文献】
【０００６】
【特許文献１】特許第５５６０５５２号公報
【発明の概要】
【発明が解決しようとする課題】
【０００７】
しかしながら、図５に示したリレーＳ１０〜Ｓ１６のうち、例えばリレーＳ１６を安価な複数のリレーで構成すると、リレーＳ１６を閉状態としておくために複数のコイルに所定の電流を流し続けなければならず、その結果、リレーＳ１６における消費電力が増大してしまう。他のリレーＳ１０〜Ｓ１５についても同様である。
【０００８】
本発明は、上記事情に鑑みてなされたものであって、複数の安価なリレーを並列に接続してなるリレーにおける消費電力が従来よりも少ない蓄電システムを提供することを課題とする。
【課題を解決するための手段】
【０００９】
上記課題を解決するために、本発明に係る第１の蓄電システムは、蓄電池と該蓄電池を系統から供給される交流電力を利用して定電流定電圧方式により充電する電力変換部とを備えたものであって、蓄電池および電力変換部の間に設けられた、複数の第１リレーを並列接続してなる蓄電池側リレー群と、系統および電力変換部の間に設けられた、複数の第２リレーを並列接続してなる系統側リレー群と、充電の際に蓄電池に出力される電流を検知する蓄電池側電流検知部と、充電の際に系統から入力される電流を検知する系統側電流検知部と、蓄電池側電流検知部および系統側電流検知部の検知結果に基づいて、第１リレーおよび第２リレーの開閉を制御する制御部とを備え、制御部は、（１）定電流充電の際に、第１リレーおよび第２リレーの全部を閉状態とするよう構成され、かつ、（２）定電圧充電の際に、蓄電池に出力される電流の減り具合に応じて閉状態とする第１リレーの数を減らしていくとともに、系統から入力される電流の減り具合に応じて閉状態とする第２リレーの数を減らしていくよう構成されている、ことを特徴としている。
【００１０】
この構成では、電力変換部から蓄電池に出力される電流（すなわち、複数の第１リレーで構成された蓄電池側リレー群を流れる電流）が減ると、それに応じて閉状態とする第１リレーの数が減っていくようになっている。また、この構成では、系統から入力される電流（すなわち、複数の第２リレーで構成された系統側リレー群を流れる電流）が減ると、それに応じて閉状態とする第２リレーの数が減っていくようになっている。したがって、この構成によれば、耐電流性に優れた高価なリレーの代わりに複数の安価な第１リレーおよび第２リレーを使用することによる消費電力の上昇を最小限に抑えることができる。
【００１１】
上記第１の蓄電システムの具体的な構成としては、第１リレーの数がＮ個（ただし、Ｎは２以上の整数）であり、第２リレーの数がＭ個（ただし、Ｍは２以上の整数）であり、制御部は、蓄電池に出力される電流と比較されるべきＮ−１個の閾値と、系統から入力される電流と比較されるべきＭ−１個の閾値とを記憶している、との構成が考えられる。
【００１２】
また、上記課題を解決するために、本発明に係る第２の蓄電システムは、蓄電池と該蓄電池を系統から供給される交流電力を利用して定電流定電圧方式により充電する電力変換部とを備えたものであって、蓄電池および電力変換部の間に設けられた、複数のリレーを並列接続してなるリレー群と、充電の際に蓄電池に出力される電流を検知する電流検知部と、電流検知部の検知結果に基づいてリレーの開閉を制御する制御部とを備え、制御部は、（１）定電流充電の際に、リレーの全部を閉状態とするよう構成され、かつ、（２）定電圧充電の際に、蓄電池に出力される電流の減り具合に応じて閉状態とするリレーの数を減らしていくよう構成されている、ことを特徴としている。
【００１３】
この構成では、電力変換部から蓄電池に出力される電流（すなわち、複数のリレーで構成されたリレー群を流れる電流）が減ると、それに応じて閉状態とするリレーの数が減っていくようになっている。したがって、この構成によれば、耐電流性に優れた高価なリレーの代わりに複数の安価なリレーを使用することによる消費電力の上昇を最小限に抑えることができる。
【００１４】
また、上記課題を解決するために、本発明に係る第３の蓄電システムは、蓄電池と該蓄電池を系統から供給される交流電力を利用して定電流定電圧方式により充電する電力変換部とを備えたものであって、系統および電力変換部の間に設けられた、複数のリレーを並列接続してなるリレー群と、充電の際に系統から入力される電流を検知する電流検知部と、電流検知部の検知結果に基づいてリレーの開閉を制御する制御部とを備え、制御部は、（１）定電流充電の際に、リレーの全部を閉状態とするよう構成され、かつ、（２）定電圧充電の際に、系統から入力される電流の減り具合に応じて閉状態とするリレーの数を減らしていくよう構成されている、ことを特徴としている。
【００１５】
この構成では、系統から入力される電流（すなわち、複数のリレーで構成されたリレー群を流れる電流）が減ると、それに応じて閉状態とするリレーの数が減っていくようになっている。したがって、この構成によれば、耐電流性に優れた高価なリレーの代わりに複数の安価なリレーを使用することによる消費電力の上昇を最小限に抑えることができる。
【発明の効果】
【００１６】
本発明によれば、複数の安価なリレーを並列に接続してなるリレーにおける消費電力が従来よりも少ない蓄電システムを提供することができる。
【図面の簡単な説明】
【００１７】
【図１】本発明の第１実施例に係る蓄電システムを示す図である。
【図２】本発明の第１実施例における電力変換装置の構成を示す図である。
【図３】本発明の第１実施例における電力変換装置が行う定電流定電圧充電に関する図である。
【図４】本発明の第２実施例に係る蓄電システムを示す図である。
【図５】従来の蓄電システムを示す図である。
【発明を実施するための形態】
【００１８】
以下、添付図面を参照しながら、本発明の第１および第２実施例に係る蓄電システムについて説明する。
【００１９】
［第１実施例］
図１に、本発明の第１実施例に係る蓄電システム１Ａを示す。同図に示すように、蓄電システム１Ａは、蓄電池２と、電力変換部３と、リレー群Ｓ１〜Ｓ３と、リレーＳ４〜Ｓ７と、蓄電池側電流検知部４と、蓄電池側電圧検知部５と、系統側電流検知部６と、系統側電圧検知部７と、制御部８Ａとを備えている。
【００２０】
従来の蓄電システム１００と同様、本実施例に係る蓄電システム１Ａは、停電ではない通常時に、主に、（１）閉状態とされたリレーＳ４，Ｓ５を介して系統１０の交流電力を重要負荷１１にそのまま供給する、（２）閉状態とされたリレー群Ｓ１〜Ｓ３を介して系統１０の交流電力で蓄電池２を充電する、（３）閉状態とされたリレー群Ｓ１〜Ｓ３およびリレーＳ４，Ｓ５を介して蓄電池２の貯蔵電力を系統１０に接続された負荷、および重要負荷１１に供給する、といったいずれかの動作を行う。蓄電システム１Ａは、電気料金が安い時間帯に系統１０の交流電力で蓄電池２を充電し、電気料金が高い時間帯に蓄電池２の貯蔵電力を系統１０に接続された負荷、および重要負荷１１に供給する。また、蓄電システム１Ａは、動作（１）〜（３）のうちの幾つかを同時に行うこともある。
【００２１】
一方、本実施例に係る蓄電システム１Ａは、停電時に、重要負荷１１への電力供給が途切れるのを防ぐために、（４）閉状態とされたリレー群Ｓ３およびリレーＳ６、Ｓ７を介して蓄電池２の貯蔵電力を重要負荷１１に供給する、といった動作を行う。これも、従来の蓄電システム１００と同様である。
【００２２】
蓄電池２は、直列に接続された複数のリチウムイオン電池セルと、各種保護回路とを含んでいる。
【００２３】
電力変換部３は、図２に示すように、双方向ＤＣ／ＤＣコンバータ３ａと、双方向ＤＣ／ＡＣインバータ３ｂと、ノイズフィルタ３ｃとを含んでいる。系統１０から入力される交流電圧は、ノイズフィルタ３ｃによってノイズが除去され、双方向ＤＣ／ＡＣインバータ３ｂによって所定の直流電圧に変換され、双方向ＤＣ／ＤＣコンバータ３ａによって充電に適した直流電圧に昇圧／降圧される。また、蓄電池２が出力する直流電圧は、双方向ＤＣ／ＤＣコンバータ３ａによって所定の直流電圧に昇圧／降圧され、双方向ＤＣ／ＡＣインバータ３ｂによって交流電圧に変換され、ノイズフィルタ３ｃによってノイズが除去される。
【００２４】
蓄電池側電流検知部４は、蓄電池２に対して直列に設けられている。蓄電池側電流検知部４は、蓄電池２−電力変換部３間を流れる電流Ｉｃを検知するとともに、検知した電流Ｉｃの値に対応した信号を出力する。
【００２５】
蓄電池側電圧検知部５は、蓄電池２に対して並列に設けられている。蓄電池側電圧検知部５は、蓄電池２の電圧Ｖｃを検知するとともに、検知した電圧Ｖｃの値に対応した信号を出力する。
【００２６】
系統側電流検知部６は、系統１０に対して直列に設けられている。系統側電流検知部６は、系統１０から入力される電流Ｉｇを検知するとともに、検知した電流Ｉｇの値に対応した信号を出力する。
【００２７】
系統側電圧検知部７は、系統１０に対して並列に設けられている。系統側電圧検知部７は、系統電圧Ｖｇを検知するとともに、検知した系統電圧Ｖｇの値に対応した信号を出力する。
【００２８】
リレー群Ｓ１，Ｓ２は、系統１０−電力変換部３間に設けられている。リレー群Ｓ３は、蓄電池２−電力変換部３間に設けられている。また、リレーＳ４，Ｓ５は、系統１０−重要負荷１１間に設けられ、リレーＳ６，Ｓ７は、重要負荷１１−電力変換部３間に設けられている。
【００２９】
リレー群Ｓ１〜Ｓ３のそれぞれは、一般的な耐電流性を有する並列接続された３つのリレーを含んでいる。リレー群Ｓ１〜Ｓ３を構成するリレーのそれぞれは、可動接点、固定接点およびコイルを有し、コイルに所定の電流が流れると、コイル側に引き寄せられた可動接点が固定接点に接触し、開状態から閉状態となるよう構成されている。リレーＳ４〜Ｓ７のそれぞれも同様に構成されている。
【００３０】
制御部８Ａは、マイクロプロセッサ（ＭＰＵ，Micro Processing Unit）等からなっている。制御部８Ａは、蓄電池側電流検知部４、蓄電池側電圧検知部５、系統側電流検知部６および系統側電圧検知部７から出力される信号に基づいて、リレー群Ｓ１〜Ｓ３を構成するリレーの開閉、リレーＳ４〜Ｓ７の開閉、および電力変換部３の動作を制御するよう構成されている。
【００３１】
続いて、図３を参照しながら、蓄電システム１Ａの動作についてさらに詳しく説明する。前述した通り、蓄電システム１Ａは、系統１０に停電等の異常が発生しておらず、かつ電気料金が安い時間帯（例えば、深夜）に系統１０の交流電力で蓄電池２を充電する。系統１０に停電等の異常が発生しているか否かは、系統側電圧検知部７によって検知される系統電圧Ｖｇに基づいて判定することができる。
【００３２】
まず初めに、制御部８Ａは、リレー群Ｓ１〜Ｓ３のそれぞれを構成する３つのリレーの全部を閉状態とするとともに、蓄電池側電流検知部４によって検知される電流Ｉｃ（充電電流）の値が所定の目標電流値Ｉｃｃとなるように電力変換部３の各部を制御し始める。これにより、定電流充電が開始される。
【００３３】
定電流充電中に、蓄電池側電圧検知部５によって検知された電圧Ｖｃ（蓄電池電圧）の値が所定の目標電圧値Ｖｃｔに到達すると、制御部８Ａは、蓄電池電圧Ｖｃの値が目標電圧値Ｖｃｔに維持されるように電力変換部３の各部を制御し始める。これにより、定電圧充電が開始される。
【００３４】
定電圧充電が進行するにつれて、充電電流Ｉｃは減少していく。そして、充電電流Ｉｃの値が所定の第１閾値Ｉｃ１（ただし、Ｉｃ１＜Ｉｃｃ）に一致すると、制御部８Ａは、リレー群Ｓ３を構成する３つのリレーのうちの１つを開状態とする。これにより、リレー群Ｓ３における消費電力が充電開始時の２／３に低減される。
【００３５】
図３には示されていないが、定電圧充電が進行すると、系統側電流検知部６によって検知される電流Ｉｇ（系統電流）も減少していく。系統電流Ｉｇの値が所定の第１閾値Ｉｇ１に一致すると、制御部８Ａは、リレー群Ｓ１，Ｓ２のそれぞれを構成する３つのリレーのうちの１つを開状態とする。これにより、リレー群Ｓ１，Ｓ２における消費電力も充電開始時の２／３に低減される。
【００３６】
定電圧充電がさらに進行し、充電電流Ｉｃの値が所定の第２閾値Ｉｃ２（ただし、Ｉｃ２＜Ｉｃ１）に一致すると、制御部８Ａは、リレー群Ｓ３を構成する３つのリレーのうちの２つを開状態とする。これにより、リレー群Ｓ３における消費電力が充電開始時の１／３に低減される。なお、制御部８Ａは、開状態をとっている２つのリレーのうちの１つを閉状態とすることにより閉状態をとるリレーの数を２にしてもよいし、開状態をとっている２つのリレーを閉状態とするとともに閉状態をとっている１つのリレーを開状態とすることにより閉状態をとるリレーの数を２にしてもよい。
【００３７】
同様に、制御部８Ａは、系統電流Ｉｇが所定の第２閾値Ｉｇ２（ただし、Ｉｇ２＜Ｉｇ１）に一致すると、リレー群Ｓ１，Ｓ２のそれぞれを構成する３つのリレーのうちの２つを開状態とする。これにより、リレー群Ｓ１，Ｓ２における消費電力も充電開始時の１／３に低減される。
【００３８】
このように、本実施例に係る蓄電システム１Ａでは、充電が進行するにつれて閉状態をとるリレーの数が制御部８Ａの制御下で減らされていく。したがって、本実施例に係る蓄電システム１Ａによれば、耐電流性に優れた高価なリレーの代わりに複数の安価なリレーを使用することによる消費電力の上昇を最小限に抑えることができる。
【００３９】
［第２実施例］
図４に、本発明の第２実施例に係る蓄電システム１Ｂを示す。同図に示すように、蓄電システム１Ｂは、蓄電池２と、電力変換部３と、リレー群Ｓ１〜Ｓ３と、リレーＳ４〜Ｓ１１と、蓄電池側電流検知部４と、蓄電池側電圧検知部５と、系統側電流検知部６と、系統側電圧検知部７と、制御部８Ｂとを備えている。
【００４０】
本実施例に係る蓄電システム１Ｂは、停電ではない通常時に、主に、（１）閉状態とされたリレーＳ４，Ｓ５，Ｓ８，Ｓ９を介して系統１０の交流電力を重要負荷１１にそのまま供給する、（２）閉状態とされたリレー群Ｓ１〜Ｓ３を介して系統１０の交流電力で蓄電池２を充電する、（３）閉状態とされたリレー群Ｓ１〜Ｓ３およびリレーＳ４、Ｓ５、Ｓ８、Ｓ９を介して蓄電池２の貯蔵電力を系統１０に接続された負荷、および重要負荷１１に供給する、といったいずれかの動作を行う。蓄電システム１Ｂは、電気料金が安い時間帯に系統１０の交流電力で蓄電池２を充電し、電気料金が高い時間帯に蓄電池２の貯蔵電力を系統１０に接続された負荷、および重要負荷１１に供給する。また、蓄電システム１Ｂは、動作（１）〜（３）のうちの幾つかを同時に行うこともある。
【００４１】
一方、本実施例に係る蓄電システム１Ｂは、停電時に、重要負荷１１への電力供給が途切れるのを防ぐために、（４）閉状態とされたリレー群Ｓ３、Ｓ６〜Ｓ９を介して蓄電池２の貯蔵電力を重要負荷１１に供給する、（５）閉状態とされたリレーＳ８〜Ｓ１１を介してパワーコンディショナ装置１２から自立出力される交流電力を重要負荷１１に供給する、といったいずれかの動作を行う。蓄電システム１Ｂは、パワーコンディショナ装置１２から供給される交流電力が十分である場合に限って動作（５）を行う。蓄電システム１Ｂは、動作（４）と動作（５）を同時に行うこともある。
【００４２】
制御部８Ｂは、リレーＳ８〜Ｓ１１の開閉を制御するよう構成されている点において第１実施例の制御部８Ａと相違しているが、これ以外の点においては制御部８Ａと共通している。つまり、制御部８Ｂは、蓄電池２を定電流定電圧方式で充電する際に、制御部８Ａと同様にリレー群Ｓ１〜Ｓ３の開閉を制御する。
【００４３】
本実施例に係る蓄電システム１Ｂによれば、第１実施例に係る蓄電システム１Ａと同様の作用効果が得られる。
【００４４】
［変形例］
以上、本発明に係る蓄電システムの第１および第２実施例について説明してきたが、本発明はこれらに限定されるものではない。
【００４５】
例えば、本発明に係る蓄電システムは、蓄電池２−電力変換部３間に設けられた蓄電池側リレー群Ｓ３、および系統１０−電力変換部３間に設けられた系統側リレー群Ｓ１，Ｓ２のうちの一方だけに消費電力の低減のための制御が適用されてもよい。
【００４６】
また、蓄電池側リレー群Ｓ３は、Ｎ個（ただし、Ｎは２以上の整数）の第１リレーで構成されていてもよい。この場合は、制御部８Ａ，８Ｂに、Ｎ−１個の閾値Ｉｃ１，Ｉｃ２，・・・，Ｉｃｎ−１を記憶させておけばよい。
【００４７】
同様に、系統側リレー群Ｓ１，Ｓ２のそれぞれは、Ｍ個（ただし、Ｍは２以上の整数）の第２リレーで構成されていてもよい。この場合は、制御部８Ａ，８Ｂに、Ｍ−１個の閾値Ｉｇ１，Ｉｇ２，・・・，Ｉｇｍ−１を記憶させておけばよい。
【００４８】
また、電力変換部３の構成は、図２に示したものに限定されず、双方向の電力変換が可能な他の構成に置き換えることができる。
【符号の説明】
【００４９】
１Ａ，１Ｂ    蓄電システム
２    蓄電池
３    電力変換部
３ａ    双方向ＤＣ／ＤＣコンバータ
３ｂ    双方向ＤＣ／ＡＣインバータ
３ｃ    ノイズフィルタ
４    蓄電池側電流検知部
５    蓄電池側電圧検知部
６    系統側電流検知部
７    系統側電圧検知部
８Ａ，８Ｂ    制御部
Ｓ１，Ｓ２    リレー群（系統側リレー群）
Ｓ３    リレー群（蓄電池側リレー群）
Ｓ４〜Ｓ１１    リレー
【図１】
2020096423.tif 000003
【図２】
2020096423.tif 000004
【図３】
2020096423.tif 000005
【図４】
2020096423.tif 000006
【図５】
2020096423.tif 000007